(57)【特許請求の範囲】
【請求項１】
建物構造体に葺設された第１の屋根用折板からなる第１の屋根と、該第１の屋根用折板の上に葺設された第２の屋根用折板からなる第２の屋根とから構成される二重屋根構造に用いる連結部材であって、
前記連結部材は、一方向に延びる帯状部を有し、
該帯状部には、第１の屋根用折板の山ピッチに相当する配置に穿設された貫通孔と、前記第１の屋根用折板と山ピッチが異なっていてもよい第２の屋根用折板を支持する支持部材に固定可能な固定部とが設けられていることを特徴とする二重屋根構造に用いる連結部材。
【請求項２】
前記帯状部は、一方向に延びる平板部と該平板部の一側縁に形成された補強縁とからなり、
前記平板部には、前記貫通孔を配列する貫通孔列と、前記固定部を配列する固定部列とを有し、該貫通孔列と前記固定部列とは前記平板部に並列して形成されることを特徴とする請求項１に記載の二重屋根構造に用いる連結部材。
【請求項３】
前記第１の屋根用折板と、第２の屋根用折板を支持する支持部材とが、請求項１又は請求項２に記載の連結部材を介して連結されたことを特徴とする二重屋根構造。
【請求項４】
建物構造体に葺設された第１の屋根用折板からなる第１の屋根を、請求項３に記載の二重屋根構造に改修するに際して、
請求項１又は請求項２に記載の連結部材を用い、前記貫通孔を前記第１の屋根用折板の山形部に配置されるように位置決めして前記連結部材を載置させ、該貫通孔を利用して前記連結部材と前記第１の屋根用折板とをボルト固定し、ついで、前記連結部材の固定部を利用して前記第２の屋根用部材を支持する支持体と前記連結部材とを固定し、該第２の支持体にリフォーム用の屋根用折板を固定することを特徴とする屋根のリフォーム施工法。
【発明の詳細な説明】
【０００１】
【発明の属する技術分野】
本発明は、屋根用折板を使用した建築物屋根の二重屋根構造に関し、更に詳しくは、屋根用折板を使用した建築物屋根のリフォームに適した二重屋根構造に用いる連結部材、それを用いた二重屋根構造及び屋根のリフォーム施工法に関する。
【０００２】
【従来の技術】
従来、例えば、亜鉛鉄板、着色亜鉛鉄板、アルミニウムメッキ鋼板、ステンレス鋼板、ポリ塩化ビニル金属積層板などをＶ字、Ｕ字などに折り曲げた波形形状の金属折板（屋根用折板）を使用した建築物屋根の二重屋根構造が知られている。例えば、特開平１０−３７４０６号公報には、図１６、図１７に示すように、波形形状の金属折板１からなる下地屋根２の上方に波形形状の金属折板３からなる表屋根４を離隔させて波形形状の金属折板１，３を二重に葺設した二重葺き断熱屋根に用いる連結装置５が開示されている。この連結装置５は、表屋根４（金属折板３）の波形形状の山形部３ａの内側に係着するヘッド部５ａと、下地屋根２（金属折板１）の山形部１ａの外側に嵌合する略逆Ｖ字状の脚部５ｂとを一体的に備えている。
【０００３】
この連結装置５によれば、脚部５ｂを下地屋根２の山形部１ａに押圧して嵌合するとができ、その後、表屋根４を上方から押圧するのみで表屋根４の波型形状の山形部３ａの内側にヘッド部５ａを係着することができ、これにより二重屋根構造６が得られる。この二重屋根構造６では、脚部５ｂをネジ７により固定することにより、下地屋根２および表屋根４と連結装置５との連結状態で風圧などによる嵌着あるいは係着部分での摺動による不快音の発生を防止することができる。
【０００４】
【発明が解決しようとする課題】
しかしながら、このような連結装置５による二重屋根構造６は、住宅のリフォームを前提とした連結装置ではない。また、この連結装置５によれば、下層の下地屋根２の山形部１ａ及び表屋根４の山形部３ａ内部の形状は、それぞれ、脚部５ｂ及びヘッド５ａに係着するため、その形状が特別の形状であることが必要である。それゆえ、この連結装置５によれば、下地屋根２としての金属折板１と表屋根４としての金属折板３とが同一の場合のみに連結が可能である。
【０００５】
一方、屋根用折板を使用した建築物屋根のリフォームには、断熱性や遮音性などを考慮すると、既存の屋根用折板を使用した屋根の上に、改修用の屋根用折板を使用した屋根を二重に設けることが望ましい。
【０００６】
このように二重屋根構造を住宅の改修（リフォーム）に用いる場合には、生産の中止となった屋根用折板（屋根材）を用いた屋根の改修が迫られる場合がある。また、屋根材の流行の変化や居住者の好みの変化などもあって、二重構造による屋根の改修には、必ずしも既存の屋根と同一形状の屋根材が選択されない場合が多い。さらに、近年においては、施工性の観点から、古くから知られているワンサイドボルト用折板から、施工の容易なボルトレス折板を使用する場合が多い。このように、既設の屋根材とは異なった屋根材を二重に葺設する方法は、従来、提案されていない。
【０００７】
既存の屋根用折板を使用した建築物屋根のリフォームに際して、葺設される屋根材として、既存の屋根材とは、形状などが異なった場合にも二重屋根構造のできる屋根のリフォーム施工法が望まれる。
【０００８】
そこで、この発明は、屋根用折板を使用した建築物屋根のリフォームに適した二重屋根構造に用いる連結部材、それを用いた二重屋根構造及び屋根のリフォーム施工法を提供することを目的とする。
【０００９】
【課題を解決するための手段】
請求項１に記載の発明は、建物構造体に葺設された第１の屋根用折板からなる第１の屋根と、該第１の屋根用折板の上に葺設された第２の屋根用折板からなる第２の屋根とから構成される二重屋根構造に用いる連結部材であって、
前記連結部材は、一方向に延びる帯状部を有し、
該帯状部には、第１の屋根用折板の山ピッチに相当する配置に穿設された貫通孔と、前記第１の屋根用折板と山ピッチが異なっていてもよい第２の屋根用折板を支持する支持部材に固定可能な固定部とが設けられていることを特徴とする二重屋根構造に用いる連結部材である。
【００１０】
請求項２に記載の発明は、前記帯状部は、一方向に延びる平板部と該平板部の一側縁に形成された補強縁とからなり、
前記平板部には、前記貫通孔を配列する貫通孔列と、前記固定部を配列する固定部列とを有し、該貫通孔列と前記固定部列とは前記平板部に並列して形成されることを特徴とする請求項１に記載の二重屋根構造に用いる連結部材である。
【００１１】
また、請求項３に記載の発明は、第１の屋根用折板と、第２の屋根用折板を支持する支持部材とが、請求項１又は請求項２に記載の連結部材を介して連結されたことを特徴とする二重屋根構造である。
【００１２】
請求項４に記載の発明は、建物構造体に葺設された第１の屋根用折板からなる第１の屋根を、請求項３に記載の二重屋根構造に改修するに際して、
請求項１又は請求項２に記載の連結部材を用い、前記貫通孔を前記第１の屋根用折板の山形部に配置されるように位置決めして前記連結部材を載置させ、該貫通孔を利用して前記連結部材と前記第１の屋根用折板とをボルト固定し、ついで、前記連結部材の固定部を利用して前記第２の屋根用部材を支持する支持体と前記連結部材とを固定し、該第２の支持体にリフォーム用の屋根用折板を固定することを特徴とする屋根のリフォーム施工法である。
【００１３】
【作用】
請求項１に記載の発明によれば、連結部材の貫通孔が第１の屋根用折板の山形部に配設されるように位置決めして載置され、この貫通孔を利用して連結部材を第１の屋根用折板にボルト固定することができる。また、この連結部材には、貫通孔と共に固定部が設けられ、この固定部は、第２の屋根用部材を支持する支持部材と固定するためのものであるので、この固定部に第２屋根用折板を支持するタイトフレームなどの支持部材を固定すれば、この第２の屋根用折板を連結部材と固定することができる。これにより、この連結部材によれば、第１の屋根と第２の屋根とを連結して、請求項３に記載の二重屋根構造を得ることができる。
【００１４】
請求項２に記載の発明によれば、第１の屋根と第２の屋根とをそれぞれ固定する固定部が固定部列及び貫通孔列として平板部に水平方向に並列して配列されるので、それぞれを固定する固定部材が干渉することなく第１の屋根と第２の屋根とを一つの共通部材である連結部材により連結することができる。また、この平板部は、一側縁に補強縁が形成されているので、この連結部材の剛性が高められて、第１の屋根と第２の屋根とは強固に連結することが可能となる。
【００１５】
請求項３に記載の発明によれば、第１の屋根用折板と、第２の屋根用折板を支持する支持部材とが、請求項１又は請求項２に記載の連結部材を介して連結された二重屋根構造が提供される。
【００１６】
また、請求項４に記載の発明によれば、屋根用折板折板を葺設した屋根を請求項３に記載の二重屋根構造に改修するリフォーム施工法が開示される。
【００１７】
これにより、屋根用折板を使用した建築物屋根のリフォームに適した二重屋根構造に用いる連結部材、それを用いた二重屋根構造及び屋根のリフォーム施工法を提供することができる。
【００１８】
【発明の実施の形態】
以下、本発明の具体的な実施の形態について図面にしたがい説明する。
【００１９】
この実施の形態では、図１に示すように、既設のユニット建物１０の１階部分の陸（ろく）屋根１１の改修を目的とする。この図１において、このユニット建物１０は、柱と梁とから略箱形に形成された複数の建物ユニット１２…が上下左右に隣接配置して施工・組み立てされたものである。
【００２０】
この陸屋根１１は、図２に示すように、形鋼製の天井梁（建物構造体）１３の上に多数の山形の脚部１４…を配設したタイトフレーム（支持部材）１５をボルト１６などにより固定し、このタイトフレーム１５に屋根用折板としてのワンサイドボルト用折板１７…を固定したものである。この、折板１７は、例えば、亜鉛鉄板、着色亜鉛鉄板、アルミニウムメッキ鋼板、ステンレス鋼板、ポリ塩化ビニル金属積層板などをＶ字、Ｕ字などに折り曲げた波形形状の金属折板（屋根用折板）であり、上底を形成する山形部１７ａと山形部１７ａ間に形成された谷部１７ｂとから構成され、その山形部１７ａと山形部１７ａとの間のピッチ（山ピッチ）Ｐ１７は、２００ｍｍである。
【００２１】
ここで、それぞれの脚部１４の頂部には固定ボルト１８用の孔１４ａが形成されている。この孔１４ａには、図３に示すように、ワンサイド用座金１９、固定ナット２０によりタイトフレーム１５と折板１７とがワンサイドボルトなどの固定ボルト１８により固定されている。これらの折板１７…は、それぞれの折板１７…を一部重ね合わせて緊結する緊結ボルトなどにより緊結固定されていてもよい。
【００２２】
一方、この折板１７の上には、改修用の屋根用折板としての公知のボルトレス折板２１（図４参照）が葺設される。このボルトレス折板２１は、山形部（上底）２２とその山形部２２間に形成された谷部２３とから構成され、その山形部２２は、左右に弧状に張り出した膨出部２２ａと内方に弧状にくびれた窪み部２２ｂとを有し、その山形部２２の内側は係止部２４を形成している。
【００２３】
このボルトレス折板２１は、例えば、図５、図６に示すように、専用のタイトフレーム（支持部材）２５と組み合わせて使用されるものである。このタイトフレーム２５は、ボルトレス折板２１を受ける受け具としての脚部２６とその脚部の頂部に係止部２６１とを備え、この係止部２６１に、ボルトレス折板２１の係止部２４が弾性的に係着されたり、凹凸嵌合により係止される。
【００２４】
一方、この脚部２６の下方には、建物構造体に固定するための固定部２６２を備えている。この固定部２６２は、両側に補強縁２６２ａが形成され、脚部２６と隣接する脚部２６の中間位置（略中間または中間の任意の位置）でボルト１６などを用いて天井梁１３などに固定される。この係止部２６１と固定部２６２とは、脚部２６により連結され、この脚部２６は、周囲に補強縁２６ａを備えることにより補強されている。このようなボルトレス折板の一例は、例えば、特公昭５８−２０３５２号公報に記載されている。
【００２５】
この実施の形態で用いるボルトレス折板２１の山形部２２の中心２１１間の距離である山ピッチＰ２１は２２５ｍｍであり、改修すべき屋根の折板１７の山ピッチＰ１７よりも大きい。そこで、このように山ピッチの異なる折板１７，２１を二重に葺設するために、この発明では、図７に示すような連結部材２７を用いる。
【００２６】
この連結部材２７は厚みｔが４ｍｍ程度の鋼板などの剛性部材から形成され、一方向に延びる、幅ｗが８３ｍｍ程度の帯状部としての平板部２８と、この平板部２８の一側縁に形成された補強縁としての補強リブ部２９とを有する。
【００２７】
この平板部２８の長さＬは、建物ユニット１２の規格に合わせて、１８０ｃｍ、２７０ｃｍ、３６０ｃｍ、４５０ｃｍ、５４０ｃｍ用の５サイズである。この平板部２８には、固定ボルト用の貫通孔（ボルト孔）３０ａ…が山ピッチＰ１７と等間隔で穿設されて貫通孔列３０が形成されている。また、この貫通孔列３０と平行して、この平板部２８には、改修にために用いられるタイトフレーム２５を固定するための固定部３１ａ…を有する固定部列３１が形成されている。
【００２８】
この貫通孔３０ａのピッチＰ３０は、屋根用折板１７の山ピッチＰ１７の規格に合わせて設けられており、この例では、２００ｍｍである。他に、２２５ｍｍ用、２５０ｍｍ用、２７５ｍｍ用、３００ｍｍ用、３３３ｍｍ用、４５０ｍｍ用のものが揃えられている。これらのピッチＰ３０は山ピッチＰ１７と一致していることが好ましいが、一つ飛ばしでもよく、また、複数の規格に対応するために、余分の孔３０ａが穿設されていてもよい。
【００２９】
一方、固定部列３１には、固定部３１ａとして予め貫通孔が形成されていてもよいが、一般には、施工現場では、ドリルネジにより固定可能であればよい。これにより、この固定部３１ａのピッチＰ３１は自由であり、それぞれのピッチＰ３１…は同一でも異なってもよい。この実施の形態では、ピッチＰ３１は、２５０ｍｍと２００ｍｍとが交互に配列されて、平均のピッチＰ３１は、山ピッチＰ２１に等しく２２５ｍｍとされている。また、固定部列３１は、貫通孔列３０と所定の間隔ｄを開けて並列されて形成されているので、以下に説明するとおり、各タイトフレーム１５、２５をこれらの貫通孔列３０，固定部列３０にそれぞれ固定しても各タイトフレーム１５，２５を固定するボルトなどの固定部材相互が干渉することがない。
［二重屋根構造への施工法］
つぎに、この連結部材２７を用いて、図２（図３）に示す既設の屋根に図４に示す折板２１を用いて二重屋根構造とするリフォーム施工法について説明する。
【００３０】
この図３において、固定ナット２０…及び座金１９…を取り外し、ついで、この一連の孔１４ａ（またはワインサイドボルト１８）にボルト列３０に穿設された貫通孔３０ａ…を位置合わせを行い、座金１９，ナット２０を用いて固定する。これにより、図８に示すように、本発明に係る連結部材２７を敷設することができる。このとき、貫通孔３０ａ…が予め形成されているので、連結部材２７が位置ズレすることもない。
【００３１】
以下、この連結部材２７の平板部２８には、図９に示すように、この貫通孔列３０と並列して固定部列３１を有するので、この固定部列３１を有する平板部２８を建物構造体の天井梁１３と見立てて従来の施工法に従い施工すれば、二重屋根構造が得られる。
【００３２】
この実施の形態では、図１０、図１１に示すように、ボルトレス折板専用のタイトフレーム２５を防水パッキング３２などを介して固定部列３１に載置させる。ついで、脚部２６と隣接する脚部２６との中間の任意位置を固定部３１ａ…として、この固定部３１ａにドリルネジ３３…などにより固定し、このタイトフレーム２５を固定部列３１に固定する。ついで、折板２１を上方より押圧し、山形部２２を係止部２６１に固定すれば、図１２に示される二重屋根構造となる。
【００３３】
また、この実施の形態では、一階部分の陸屋根１１の改修であるので妻壁１２ａ側を雨仕舞いをするのがよい。この例では、図１３に示すように、妻壁側の建物構造体としての大梁１３からドリルネジ３４などにより水切り支持金物３５が固定され、この水切り支持金物３５に壁妻水切り３６が固定されている。この妻壁水切り３６により折板端部１７ｃが覆われている。また、壁パネルなどの妻側壁材３７にはカバー水切り３８と一体となった壁下水切り３９が固定されており、このカバー水切り３８によりさらに壁妻水切り３６が覆われている。
【００３４】
また、改修用の表屋根では、妻側壁材３７にコーキング４０などを介してタッピンビス４１などにより改修用の妻壁水切り４２が固定され、この妻壁水切り４２により折板２１の端部２１ｃが覆われている。この妻側水切り４２は、カバー水切り４３により更に覆われているが、このカバー水切り４３は、妻側壁材３７にコーキング４０などを介してタッピンビス４１などにより固定されている。
（変形例１）
以上の実施の形態では、ワンサイドボトル用の折板を有する屋根のリフォームに用いたが、この発明の連結部材２７は、ボルトレス折板を備えた屋根のリフォームにも用いることができる。この変形例では、実施の形態のワンサイドボルト用折板１７を用いた屋根に代えて、図５に示すボルトレス折板２１を用いた屋根であって、その山ピッチが２００ｍｍである屋根をリフォームする例を示す。これにより、図１４に示すように、互いに山ピッチの異なるボルトレス折板２１，２１を二重に葺設することができる。
【００３５】
まず、図５に示す屋根の山形部２２と貫通孔３０ａ…とが一致するように位置合わせを行いつつ連結部材２７を折板２１の上に載置する。このとき、係止部２６１との位置合わせは行っても行わなくてもよい。ついで、貫通孔３０ａ側から山形部２２に向けてワンサイドボルト１８１を打ち込みワンサイドボルト用固定部１９１により山形部２２と連結部材２７とを固定する。これにより、本発明に係る連結部材２７を既設のワンサイド折板を用いた屋根上に敷設することができる。このとき、貫通孔３０ａ…の穿設されているピッチは、山形部（係止部２６１）が配置されているピッチＰ２１と同一のピッチであるので、このワンサイドボルト１８１の打ち込みを簡易に施工することができる。
【００３６】
以下、この連結部材２７の平板部２８には、実施の形態と全く同様に、この貫通孔列３０と並列して固定部列３１を有するので、この固定部列３１を有する平板部２８に実施の形態と同様にボルトレス折板２１専用のタイトフレーム２５及びボルトレス折板２１を葺設させることができる。また、雨仕舞いも実施の形態と全く同様に行うことができる。
（変形例２）
以上の実施の形態では、山ピッチの異なる折板を二重に葺設させたが、山ピッチは同一であっても同様に葺設できることは明らかである。
【００３７】
また、以上の実施の形態では、タイトフレームは一連の受け部（脚部）が一体となった構成を示したが、図１５に示すように、タイトフレーム（支持部材）４４に一つの脚部４４ａを備えた場合においても同様に施工できることも理解される。この図１５において、符号４４ｂは固定ボルト用の孔であり、符号４５は固定ボルトであり、Ｕ字形の折板４６は、独立した多数のタイトフレーム４４により固定ボルト４５により固定される。また、このタイトフレーム４４は、通常は、建物用構造体（不図示）に固定されるが、この折板４６を二重屋根の表材（改修用折板）として用いる場合には、この折板４６または折板４６を支持する支持体としてのタイトフレーム４４は、この発明の連結部材２７の固定部列３１（固定部３１ａ）に固定されて改修に用いられる。
【００３８】
以上、この発明の実施の形態を図面により詳述してきたが、具体的な構成はこの実施の形態に限らず、この発明の要旨を逸脱しない範囲の設計の変更等があってもこの発明に含まれる。
【００３９】
例えば、以上の実施の形態では、妻壁を有する陸屋根に用いているが、これに限定されずに、屋根は、傾斜が設けられていてもよく、また、妻壁がなくてもよい。
【００４０】
また、折板の重ね部では、場合によっては、上面の高さが一様でなくなるが、そのような場合には、連結部材と屋根表面との間に適宜のパッキングや座金を介在させればよい。
【００４１】
また、この発明では、上底にハゼを有するハゼ方式のものや、上底が鋭角となっているものでは、連結部材を直接ボルト固定ができない場合があるが、このような場合には、適宜の介在部材を設けることがよい。
【００４２】
さらに、折板と折板との間に、断熱材や防音材、制振材などを自由に介在させてもよい。
【００４３】
【発明の効果】
以上説明したように、請求項１に記載の発明によれば、連結部材の貫通孔に第１の屋根用折板の山形部をボルト固定し、固定部に第２の屋根用部材を支持する支持部材を固定することにより、第１の屋根と第２の屋根とを連結した二重屋根構造を得ることができる。
【００４４】
請求項２に記載の発明によれば、貫通孔列と固定部列とが平板部に並列して形成されるので、それぞれの固定部材が干渉することなく第１の屋根と第２の屋根とを一つの共通部材である連結部材により連結することができる。また、この平板部は、一側縁に補強リブ部が形成されているので、この連結部材の剛性が高められて、第１の屋根と第２の屋根とは強固に連結することが可能となる。
【００４５】
請求項３に記載の発明によれば、第１の屋根用折板と、第２の屋根用折板を支持する支持部材とが、請求項１又は請求項２に記載の連結部材を介して連結された二重屋根構造が提供される。
【００４６】
また、請求項４に記載の発明によれば、屋根用折板折板を葺設した屋根を請求項３に記載の二重屋根構造に改修するリフォーム施工法が開示される。
【００４７】
これにより、屋根用折板を使用した建築物屋根のリフォームに適した二重屋根構造に用いる連結部材、それを用いた二重屋根構造及び屋根のリフォーム施工法を提供することができる、という実用上、有益な効果を発揮する。
【図面の簡単な説明】
【図１】  発明の実施の形態に係るユニット建物を説明する図である。
【図２】  一般的な屋根用折板を用いた屋根の部分切欠斜視図である。
【図３】  図２の屋根の部分断面を説明する図である。
【図４】  一般的なボルトレス折板を説明する断面図である。
【図５】  図４のボルトレス折板を用いた屋根の部分断面を説明する図である。
【図６】  図５の脚部２６付近の端面の状態を説明する図である。
【図７】  本発明の実施の形態に係る連結部の部分斜視図である。
【図８】  本発明の組立施工を説明するための図であり、連結部材２７が固定されている。
【図９】  本発明の組立施工を説明するための上面より見た図であり、タイトフレーム２５が固定されている。
【図１０】  図９の側面より見た図である。
【図１１】  図１０のＡ−Ａ矢視図である。
【図１２】  実施の形態の二重屋根構造の部分断面を説明する図である。
【図１３】  図１２の妻壁側の雨仕舞いを説明する断面図である。
【図１４】  実施の形態の変形例１の二重屋根構造の部分断面を説明する図である。
【図１５】  実施の形態の変形例２を説明するための一般的な屋根用折板とその支持具を説明する図である。
【図１６】  従来の連結装置の二重構造屋根における連結状態を説明する図である。
【図１７】  図１６の連結装置の下地屋根への嵌着状体を説明する図である。
【符号の説明】
１３  建物構造体（梁）
１５  支持部材（タイトフレーム）
１７  第１の屋根用折板（既設の屋根）
２１  第２の屋根用折板（改修用の屋根）
２５  支持部材（タイトフレーム）
２７  連結部材
２８  平板部
２９  補強縁
３０ａ  ボルト孔（貫通孔）
３１ａ  固定部
【図１】
0003654791.tif 000002
【図２】
0003654791.tif 000003
【図３】
0003654791.tif 000004
【図４】
0003654791.tif 000005
【図５】
0003654791.tif 000006
【図６】
0003654791.tif 000007
【図７】
0003654791.tif 000008
【図８】
0003654791.tif 000009
【図９】
0003654791.tif 000010
【図１０】
0003654791.tif 000011
【図１１】
0003654791.tif 000012
【図１２】
0003654791.tif 000013
【図１３】
0003654791.tif 000014
【図１４】
0003654791.tif 000015
【図１５】
0003654791.tif 000016
【図１６】
0003654791.tif 000017
【図１７】
0003654791.tif 000018